(57)【要約】【課題】便器の側方に尿が飛散しても、尿が連結枠等に直接付着することがなく、錆が発生することを防止することができる便器用手摺を提供する。【解決手段】便器用手摺は、左右一対の側枠と、側枠に夫々取り付けられる左右一対の手摺部と、左右一対の側枠に差し渡され、便器の前方において左右方向に向けて延びる前枠部と、前枠部と側枠とを連結するための連結部とを備え、前枠部は、断面略逆Ｕ字状の前カバーが上側から着脱可能に嵌着されており、連結部は、上面と内側面を有する横カバーが上側から着脱可能に嵌着されており、前カバーと横カバーは、夫々の端部にお互いを接続するための接続部を有し、接続部同士は、隙間なく当接するように構成されている。【選択図】図１
2014210124.tif 000002
【特許請求の範囲】
【請求項１】
左右一対の側枠と、
前記側枠に夫々取り付けられる左右一対の手摺部と、
前記左右一対の側枠に差し渡され、便器の前方において左右方向に向けて延びる前枠部と、
前記前枠部と前記側枠とを連結するための連結部と、を備え、
前記前枠部は、断面略逆Ｕ字状の前カバーが上側から着脱可能に嵌着されており、前記連結部は、上面と内側面を有する横カバーが上側から着脱可能に嵌着されており、
前記前カバーと前記横カバーは、夫々の端部にお互いを接続するための接続部を有し、前記接続部同士は、隙間なく当接していることを特徴とする便器用手摺。
【請求項２】
前記前カバーの接続部と前記横カバーの接続部は、面一に接続されている請求項１に記載の便器用手摺。
【請求項３】
前記前カバーと前記横カバーは、何れか一方の前記接続部に設けた内側係合部に、何れか他方の前記接続部に設けた外側係合部を重ねることで接続されている請求項１または２に記載の便器用手摺。
【請求項４】
前記前枠部は、前面および後面を有するとともに、前記前面および前記後面が平行に延びる直線部を含み、
前記接続部同士は、前記直線部上において接続されている請求項１から３までの何れか一項に記載の便器用手摺。
【請求項５】
前記前カバーおよび／または前記横カバーは、上面の内縁に堰部が立設されている請求項１から４までの何れか一項に記載の便器用手摺。
【請求項６】
前記前枠部は、中央部で斜め後方に向けて折り曲げられ、略Ｖ字形状に形成されている請求項１から５までの何れか一項に記載の便器用手摺。
【請求項７】
前記連結部は、前記前枠部から後方に向けて連続して延びる横枠部により構成されており、前記前枠部と前記側枠は、前記横枠部を介して連結されている請求項１から６までの何れか一項に記載の便器用手摺。
【発明の詳細な説明】
【技術分野】
【０００１】
本発明は、便器用手摺に関するものである。
【背景技術】
【０００２】
従来、既設の便器に取り付ける便器用手摺としては、便器の左右両側に設置される左右一対の側枠と、前記側枠にそれぞれ取り付けられる左右一対の手すり部と、前記左右一対の側枠に差し渡される連結枠とを有する便器用手すりにおいて、前記側枠または前記連結枠からは後方に向けて左右一対の固定部材が回動可能に差し出されており、前記連結枠には前記便器の前部に当接する当接部が設けられている便器用手すりが提供されている（特許文献１参照）。特許文献１の第８図には、連結枠の中央部分と固定部材の取付け部材に汚れ防止のためのカバー部材が上側から被着された便器用手すりが開示されている。
【先行技術文献】
【特許文献】
【０００３】
【特許文献１】特許４４９１３７４号公報
【発明の概要】
【発明が解決しようとする課題】
【０００４】
ところで、既設の便器に取り付ける便器用手摺は、使用者によっては使用者の全体重を預けられる場合があることから、剛性を持たせる必要があり、特許文献１に示された便器用手摺も例外でなく、一般的に、金属製の部材を用いて製作される。ここで、便器用手摺は主としてレンタル製品として提供されるものであり、飛散した尿が付着して錆が発生してしまうと、製品の品質価値が低下して次の使用者に提供することができなくなるため、錆が発生しないようにしておくことが好ましく、特に便器近傍に配置される連結枠にはカバーを被せておくことが好ましい。 
【０００５】
しかしながら、特許文献１の第８図の便器用手摺には、連結枠のうち便器の前方に位置する部分にはカバーが取り付けられているものの、便器の側方に位置する部分にはカバーが取り付けられていない。このため、便器の側方に尿が飛散すると、尿が連結枠に直接付着してしまうこととなる。この場合に、便器の側方に位置する部分は連結枠と側枠の継ぎ目などの隙間が多く、また、便器と側枠の間のスペースが狭いため、清掃がしづらく、付着した尿をきれいに拭き取ることが難しい。このため、尿が連結枠のうち便器の側方に位置する部分に直接付着してしまうと、拭き残しの結果、錆が発生してしまうという問題がある。
【０００６】
そこで、本発明は、便器の側方に尿が飛散しても、尿が連結枠等に直接付着することがなく、錆が発生することを防止することができる便器用手摺を提供することを目的とする。
【課題を解決するための手段】
【０００７】
本発明は、左右一対の側枠と、前記側枠に夫々取り付けられる左右一対の手摺部と、前記左右一対の側枠に差し渡され、便器の前方において左右方向に向けて延びる前枠部と、前記前枠部と前記側枠とを連結するための連結部と、を備え、前記前枠部は、断面略逆Ｕ字状の前カバーが上側から着脱可能に嵌着されており、前記連結部は、上面と内側面を有する横カバーが上側から着脱可能に嵌着されており、前記前カバーと前記横カバーは、夫々の端部にお互いを接続するための接続部を有し、前記接続部同士は、隙間なく当接していることを特徴とする便器用手摺である。
【０００８】
これにより、便器の前方に位置する前枠部のみならず、便器の側方に位置する連結部についてもカバーにより覆い隠すことができ、前枠部および連結部に錆が発生することを防止することができる。また、接続部同士が隙間なく当接しているため、飛散した尿が前枠部に付着しにくくなる。
【０００９】
前記前カバーの接続部と前記横カバーの接続部は、面一に接続されていてもよい。
【００１０】
これにより、接続部同士が段差なく接続されるため、清掃が容易になる。
【００１１】
前記前カバーと前記横カバーは、何れか一方の前記接続部に設けた内側係合部に、何れか他方の前記接続部に設けた外側係合部を重ねることで接続されていてもよい。
【００１２】
これにより、飛散した尿が前カバーと横カバーの接続箇所から浸入してしまうことを抑止することができる。
【００１３】
前記前枠部は、前面および後面を有するとともに、前記前面および前記後面が平行に延びる直線部を含み、前記接続部同士は、前記直線部上において接続されていてもよい。
【００１４】
これにより、前枠部に対して前カバーと横カバーをしっかりと嵌めることができる。
【００１５】
前記前カバーおよび／または前記横カバーは、上面の内縁に堰部が立設されていてもよい。
【００１６】
これにより、飛散した尿が堰部で堰き止められて不用意に床に滴下することを抑止することができる。
【００１７】
前記前枠部は、中央部で斜め後方に向けて折り曲げられ、略Ｖ字形状に形成されていてもよい。
【００１８】
これにより、使用者が着座姿勢から立ち上がる際に足を後方に引き易くなり、立ち上がり動作が容易になる。
【００１９】
前記連結部は、前記前枠部から後方に向けて連続して延びる横枠部により構成されており、前記前枠部と前記側枠は、前記横枠部を介して連結されていてもよい。
【００２０】
これにより、部品点数を減らすことができるため簡単な構成にすることができる。
【発明の効果】
【００２１】
本発明によれば、便器の側方に尿が飛散しても、尿が連結枠等に直接付着することがなく、錆が発生することを防止することができる。
【図面の簡単な説明】
【００２２】
【図１】便器用手摺の全体を示す前方斜視図である。
【図２】便器用手摺の全体を示す後方斜視図である。
【図３】便器用手摺の前カバーおよび左右の横カバーを取り外した状態の平面図である。
【図４】図３に示された便器用手摺に前カバーおよび左右の横カバーを取り付けた状態の便器用手摺の平面図である。
【図５】図４に示すＶＩ−ＶＩ線の方向から見た前枠部の拡大断面図である。
【図６】図４に示すＶＩＩ−ＶＩＩ線の方向から見た前枠部の拡大断面図である。
【図７】便器用手摺の左側面図である。
【発明を実施するための形態】
【００２３】
以下、本発明の一実施形態に係る便器用手摺を図面に基づいて詳細に説明する。
【００２４】
＜便器用手摺＞
便器用手摺１は、図１および図２に示すように、便器２の左右両側に設置される左右一対の略逆Ｔ字状の側枠３と、側枠３に夫々取り付けられる左右一対の略Ｔ字状の手摺部４と、左右一対の側枠３に差し渡される連結枠５とを有している。連結枠５は、便器２の前方において左右方向に向けて延びる前枠部５１と、前枠部５１と側枠３とを連結するための連結部５２とを有しており、連結部５２からは後方に向けて左右一対の固定部材６が差し出されている。なお、本明細書では、前方、後方、側方とは、便器２に座った使用者から見た、前方、後方、側方を表す。
【００２５】
＜側枠＞
側枠３は、前後に滑り止め用の脚ゴム３２が夫々取り付けられた水平杆３１と、水平杆３１の中央部から立設された垂直杆３３とを有している。
また、手摺部４は、側枠３の垂直杆３３の上部に上下摺動可能に挿着される挿着杆４１と、挿着杆４１の上部に取り付けられる枢着基部４２と、枢着基部４２の上側に取り付けられる肘掛け部４５とを有している。そして、枢着基部４２を枢着ピン４３を中心として上方に回動させることにより、手摺部４の肘掛け部４５は手前側に跳ね上げ可能とされている。また、枢着基部４２の貫通孔４４に図示しない鉤状のロック部材を挿通することで、手摺部４の肘掛け部４５が跳ね上がることを規制することができる。
【００２６】
また、手摺部４は、挿着杆４１に縦列して設けられている複数の孔（図示省略）のいずれか一つと垂直杆３３に設けた孔の位置を一致させ、夫々の孔に調節ボルト３４を垂直杆３３の外側から挿通し、調節ボルト３４を螺着して垂直杆３３に押し付けることで高さを調節することができる。
【００２７】
＜連結枠＞
連結枠５は、中央部で後方斜めに折り曲げる折曲部５１ａと、折曲部５１ａから直線状に延びる直線部５１ｂとからなる略Ｖ字形状に形成された前枠部５１と、前枠部５１から後方に向けて連続して延びる横枠部５２ａとからなり、前枠部５１と側枠３は、横枠部５２ａによって連結されている。前枠部５１は、中央部で後方斜めに折り曲げることで、使用者が着座姿勢から立ち上がる際の足引きスペースを確保し、立ち上がり動作を容易に行うことができるようにしている。特に、本実施例の場合は、前枠部５１が断面縦長の扁平形状であり前後方向の厚みが薄いため（図５、図６参照）、より足引きスペースを確保し易くなっている。なお、前枠部５１は、必ずしも中央部で後方斜めに折り曲げる必要はなく、折り曲げずに左右に直線状に延びる形状であってもよい。また、本実施例では、前枠部５１の中央部の形状は、汚れが溜まりにくいように直線状の形状とされているが、例えば、中央部が下方に屈曲または湾曲している形状としてもよい。
【００２８】
また、本実施例では、連結枠５は、押出成形された一本の鉄製のパイプにより成形されているため、前枠部５１と横枠部５２ａは一体的に形成されている。また、前枠部５１と側枠３は、横枠部５２ａを介して連結されている。但し、両者を連結する構造は必ずしもこれに限定されず、例えば、前枠部５１と側枠３の間に図示しない連結部材を配置し、連結部材を介して前枠部５１と側枠３を連結することもできる。この場合は、後述する固定部材６を連結部材に取り付けることになる。
【００２９】
また、図３に示すように、横枠部５２ａの内側面から内側に向けて取付部５２ｂが形成されている。そして、取付部５２ｂには、回動軸５３が形成されており、回動軸５３には後述する固定部材６が内側に回動可能に取り付けられている。
【００３０】
＜固定部材＞
固定部材６は、後部に滑り止めのためのゴムグリップ６１が取付けられた円柱形状の棒部材からなり、横枠部５２ａに形成された取付部５２ｂの回動軸５３に、内側に回動可能に取り付けられている。
本実施例では、横枠部５２ａの後部に押出しボルト５４が設けられている。押出しボルト５４は、後方から前方に向けて斜めに配置されており、押出しボルト５４を外側から内側に向けて螺着し、押出しボルト５４の先端部で固定部材６の側面を後方斜めから押し付けることで、便器２の左右側部を固定部材６で左右後寄りから抱え込ませることができ、そして前枠部５１の先端内側を便器２の前部に当接させることができる。このとき、押出しボルト５４は、側面視して垂直杆３３よりも後方に配置されているため、より後方から固定部材６を押し付けることになり、便器２の左右側部を固定部材６でより強く抱え込ませることができる。なお、固定部材６は、必ずしも水平方向に回動させる必要はなく、押出しボルト５４を外側から内側に向けて螺着し固定部材６を垂直方向に回動させて、固定部材６が便器２の湾曲面の下面に当接するようにしてもよい。
【００３１】
また、固定部材６は、棒状の部材でなくてもよく、例えば、ベルト状の部材を用いることもできる。この場合は、ベルトを、一方の連結部５２から便器２の背面を経由して他方の連結部５２に接続させ、便器２の背面に当接したベルトを締め付けることで、便器用手摺１を便器２に固定することができる。
なお、便器用手摺１の固定は、水平杆３１の上側からネジ部材を固定することで便器用手摺１を床面に直接固定してもよいため、固定部材６はなくてもよい。
【００３２】
＜前カバー＞
図４に示すように、連結枠５には、カバーが上側から嵌着されている。カバーは、前カバー７１と左右の横カバー７２の３つの部材から構成されている。前カバー７１と左右の横カバー７２は、いずれもポリプロピレン（ＰＰ）樹脂製である。材質は、比較的硬質であり腐食しない材質であれば特に限定されない。
【００３３】
前カバー７１は、図５および図６に示すように、上面、前面および後面を有する断面略逆Ｕ字状の形状であり、前枠部５１の上側から嵌着されている。前カバー７１は、後面の中央部に前枠部５１の下端よりも下側に延びる突出部７１ａを有している。突出部７１ａは、便器２に向けて傾斜しており、突出部７１ａを便器２の前面の湾曲面に当接させることで、前カバー７１を便器２の前面により密着させることができ、便器用手摺１の取り付けを安定させることができる。
【００３４】
また、前カバー７１は、側方の両端部に後述する横カバー７２の接続部７２ｂと接続するための接続部７１ｂを有している。接続部７１ｂの前面と後面の内面下端部には、突起状の保持部７１ｄが形成されている。前カバー７１を前枠部５１に嵌着する際には、保持部７１ｄが前枠部５１の前面と後面に擦れることで前カバー７１が若干広がった状態になり、そして保持部７１ｄが前枠部５１の下端部に係止されることで前カバー７１が前枠部５１に嵌着される。また、接続部７１ｂは、端部に内側係合部７１ｃを有している。内側係合部７１ｃには、後述する横カバー７２の接続部７２ｂに設けた外側係合部７２ｃが外側から被せられる。
【００３５】
＜横カバー＞
横カバー７２は、図５および図６に示すように、上面および内側面を有しており、横枠部５２ａの上側から嵌着されている。また、横カバー７２には、図４および図６に示すように、上面の内縁に堰部７２ａが立設されている。なお、堰部７２ａは、前カバー７１の内縁に立設されていてもよい。
【００３６】
また、横カバー７２は、端部に前カバー７１の接続部７１ｂと接続するための接続部７２ｂを有している。図５に示すように、接続部７１ｂと接続部７２ｂは、飛散した尿が前枠部５１に付着しにくいように、隙間なく当接している。なお、「隙間なく」とは、前カバー７１と横カバー７２を接続した状態で外観視したときに、一般的に見て前枠部５１が露出していない状態を意味し、厳密な意味で全く隙間がない状態を意味するものではない。そして、前カバー７１の接続部７１ｂと横カバー７２の接続部７２ｂは、段差なく面一に接続されている。
【００３７】
接続部７２ｂは、側方の端部に外側係合部７２ｃを有しており、外側係合部７２ｃを、前述した前カバー７１の接続部７１ｂに設けた内側係合部７１ｃの外側から被せることで、接続部７１ｂと接続部７２ｂが接続される。なお、前カバー７１の接続部７１ｂに外側係合部が設けられており、横カバー７２の接続部７２ｂに内側係合部が設けられていてもよい。また、内側係合部７１ｃと外側係合部７２ｃは必ずしも必要ではなく、接続部７１ｂと接続部７２ｂの側端面同士を突き合わせることで両者を接続してもよい。
【００３８】
また、接続部７１ｂと接続部７２ｂの接続は、前枠部５１の直線部５１ｂ上において接続されている。折曲部５１ａでは連結枠５を曲げ加工する際に前面と後面の厚みが直線部５１ｂよりも薄くなることから（図５参照）、厚みにバラツキが生じ易いため、接続部７１ｂと接続部７２ｂを厚みが均一になり易い直線部５１ｂ上において接続することで、前枠部５１に対して前カバー７１と横カバー７２をしっかりと嵌めることができる。
【００３９】
＜使用方法＞
上記のような便器用手摺１を便器２に取り付けて使用する場合には、図４および図７に示すように、便器用手摺１を便器２に前側から取り付けた後、押出しボルト５４を後側から螺着して固定部材６を内側に回動させ、便器２の左右側部を固定部材６で左右後寄りから抱え込むとともに、前枠部５１の先端内側を便器２の前部に当接させる。
このとき、固定部材６のゴムグリップ６１がクッション性を有するゴム製とされており、また、前枠部５１に嵌着した前カバー７１がプラスチック製とされているため、ゴムグリップ６１および前枠部５１の先端内側が便器２に当接したときに便器２が傷つくことが防止される。また、前カバー７１の突出部７１ａが便器２の前面の湾曲面に当接して前カバー７１が便器２の前面に密着することで、便器用手摺１の取り付けが安定する。
【００４０】
また、上記の便器用手摺１の手摺部４を跳ね上げる場合には、手摺部４の枢着基部４２を枢着ピン４３を中心として上方に回動させることにより、肘掛け部４５は手前側に跳ね上げ撤去される。肘掛け部４５が跳ね上がることで、介助者が側方から介助作業をする場合に、手摺部４の肘掛け部４５が邪魔になることがなく、介助作業を容易に行うことができる。
一方、上記の便器用手摺１の手摺部４の高さを調節する場合には、まず、垂直杆３３から調節ボルト３４を取り外し、挿着杆４１に縦列して設けられている複数の孔（図示省略）のいずれか一つと垂直杆３３に設けた孔の位置を適切な高さで一致させ、夫々の孔に調節ボルト３４を垂直杆３３の外側から挿通し、調節ボルト３４を螺着して垂直杆３３に押し付けることで、使用者の体型に合わせて高さを調節することができる。
【００４１】
以上、本発明の実施の形態を実施例により説明したが、本発明の範囲はこれらに限定されるものではなく、請求項に記載された範囲内において目的に応じて変更・変形することが可能である。
【産業上の利用可能性】
【００４２】
本発明は、便器の側方に尿が飛散しても、尿が連結枠等に直接付着することがなく、錆が発生することを防止することができる便器用手摺として、産業上利用することができる。
【符号の説明】
【００４３】
１      便器用手摺
２      便器
３      側枠
４      手摺部
５１    前枠部
５２    連結部
５２ａ  横枠部
７１    前カバー
７１ｂ  接続部
７１ｃ  内側係合部
７２    横カバー
７２ａ  堰部
７２ｂ  接続部
７２ｃ  外側係合部
【図１】
2014210124.tif 000003
【図２】
2014210124.tif 000004
【図３】
2014210124.tif 000005
【図４】
2014210124.tif 000006
【図５】
2014210124.tif 000007
【図６】
2014210124.tif 000008
【図７】
2014210124.tif 000009